(57)【特許請求の範囲】
【請求項１】
便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化し、
前記流路は、絞り部を有することを特徴とする洗浄水ガイド。
【請求項２】
便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化し、
前記流路の長さは、前記流入口の幅より小さく設定されていることを特徴とする洗浄水ガイド。
【請求項３】
便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化し、
前記洗浄水ガイドは、さらに、前記洗浄水ガイド内に流入する洗浄水を分割して複数の分割流路を形成するための少なくとも１つの分割部材を備えることを特徴とする洗浄水ガイド。
【請求項４】
請求項３に記載の洗浄水ガイドであって、
前記分割部材は、筒状部材を含む、洗浄水ガイド。
【請求項５】
請求項３に記載の洗浄水ガイドであって、
前記分割部材は、板状部材を含む、洗浄水ガイド。
【請求項６】
便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化し、
前記流入口の断面形状の重心と前記流出口の断面形状の重心とは、偏心していることを特徴とする洗浄水ガイド。
【請求項７】
便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化し、
前記流入口から前記流出口までの側壁において、周回する突起部を有することを特徴とする洗浄水ガイド。
【請求項８】
請求項１ないし７のいずれかに記載の洗浄水ガイドであって、
前記洗浄水ガイドは可撓性を有する材料で形成されている、洗浄水ガイド。
【請求項９】
請求項１ないし８のいずれかに記載の洗浄水ガイドであって、さらに、
前記流入口に、前記流入口を開閉するための弁を備える、洗浄水ガイド。
【請求項１０】
便器装置であって、
洗浄水を貯える洗浄水タンク装置と、
便器と、
前記洗浄水タンク装置から便器に洗浄水を供給するための請求項１ないし８のいずれかに記載の洗浄水ガイドと、
を備え、
前記洗浄水タンク装置は、
洗浄水を貯えるタンクと、
前記タンクから洗浄水を排出するための排水口と、
前記排水口を開閉するための弁と、
を備え、
前記便器は、
汚物を受けるためのボール部と、
前記洗浄水ガイドを介して供給される洗浄水を受け、前記ボール部に洗浄水を供給するための洗浄水供給部と、
前記ボール部から汚物とともに洗浄水を排出するための洗浄水排出部と、
を備えることを特徴とする便器装置。
【発明の詳細な説明】
【０００１】
【発明の属する技術分野】
本発明は、洗浄水タンク装置から便器に洗浄水を供給するための技術に関する。
【０００２】
【従来の技術】
水洗式の便器装置は、通常、洗浄水を貯える洗浄水タンク装置と便器とを備えている。図１９は、従来の洗浄水タンク装置９００の概略断面図である。図１９（Ａ），（Ｂ）は、それぞれ、洗浄水タンク装置９００を側方から見たときの断面図と、正面から見たときの断面図を示している。
【０００３】
図示するように、洗浄水タンク装置９００は、洗浄水を貯えるタンク９３０と、洗浄水を排出するための排水口９３０ａと、排水口を開閉するための弁９４０と、弁の開閉を操作するための操作ハンドル９５０とを備えている。操作ハンドル９５０には、Ｌ字状部材９６０が接続されており、Ｌ字状部材９６０は、玉鎖９７０を介して弁９４０と接続されている。操作ハンドル９５０を回動させると、Ｌ字状部材９６０も一緒に回動し、Ｌ字状部材９６０の先端に取り付けられた玉鎖９７０は弁９４０を引き上げる。このようにして開弁状態となると、洗浄水タンク装置９００の排水口９３０ａから洗浄水が排出される。
【０００４】
【発明が解決しようとする課題】
ところで、便器装置においては、便器内の汚物を排出するために、便器に勢いよく洗浄水を供給することが好ましい。すなわち、便器装置においては、洗浄水タンク装置から排出される洗浄水の単位時間あたりの流量を大きくすることが好ましい。
【０００５】
このため、従来では、排水口の開口面積を大きくすることによって洗浄水の単位時間あたりの流量を大きくしていた。しかしながら、排水口９３０ａの開口面積を大きくする場合には、操作ハンドル９５０を操作する際に、より大きな力が必要となってしまう。すなわち、排水口９３０ａの開口面積が大きくなると、それに応じて弁９４０の面積も大きくなる。そして、弁９４０の面積が大きくなると、弁９４０上部に貯えられる洗浄水の量も大きくなるので、弁を下方に押す力も大きくなる。このとき、弁９４０を開くためには、弁９４０上部に貯えられた洗浄水が弁を下方に押す力に打ち勝つだけの力を操作ハンドル９５０に与える必要がある。このように、排水口９３０ａの開口面積を大きくする場合には、より大きな力で操作ハンドル９５０を操作しなければならなくなってしまう。
【０００６】
この発明は、従来技術における上述の課題を解決するためになされたものであり、洗浄水タンク装置の排水口の開口面積を比較的小さく保ったまま、便器に供給される洗浄水の単位時間あたりの流量を比較的大きくすることのできる技術を提供することを目的とする。
【０００７】
【課題を解決するための手段およびその作用・効果】
上述の課題の少なくとも一部を解決するため、本発明の第１の装置は、便器を洗浄するための洗浄水を貯える洗浄水タンク装置の排水口に設けられる洗浄水ガイドであって、
前記洗浄水タンク装置から排出される洗浄水を流入させるための流入口と、
流入した洗浄水を流出させる流出口と、
洗浄水を前記流入口から前記流出口に導くための流路を形成する側壁と、
を備え、
前記流出口の断面積は、前記流入口の断面積よりも大きく設定されており、
前記流路の断面積は、前記流入口から前記流出口に向かって連続的に変化することを特徴とする。
【０００８】
このような洗浄水ガイドを用いて洗浄水タンク装置から洗浄水を排出すれば、洗浄水タンク装置の排水口の開口面積を比較的小さく保ったまま、便器に供給される洗浄水の単位時間あたりの流量を比較的大きくすることが可能となる。
【０００９】
上記の洗浄水ガイドにおいて、
前記流路の断面積は、前記流入口から前記流出口に向かって単調に大きくなっていることが好ましい。
【００１０】
このような洗浄水ガイドを用いれば、流路内において洗浄水が剥離するのを防止することができるので、洗浄水タンク装置の排水口の開口面積を比較的小さく保ったまま、便器に供給される洗浄水の単位時間あたりの流量を比較的大きくすることが可能となる。
【００１１】
あるいは、上記の洗浄水ガイドにおいて、
前記流路は、絞り部を有するようにしてもよい。
【００１２】
このような洗浄水ガイドを用いても、流路内において洗浄水が剥離するのを防止することができるので、洗浄水タンク装置の排水口の開口面積を比較的小さく保ったまま、便器に供給される洗浄水の単位時間あたりの流量を比較的大きくすることが可能となる。
【００１３】
上記の洗浄水ガイドにおいて、
前記流路の長さは、前記流入口の幅より小さく設定されているようにしてもよい。
【００１４】
このような洗浄水ガイドを用いる場合には、流路内において洗浄水が剥離する前に洗浄水が流出されるので、流路内の洗浄水の剥離を防止することができる。
【００１５】
さらに、上記の洗浄水ガイドにおいて、
前記洗浄水ガイド内に流入する洗浄水を分割して複数の分割流路を形成するための少なくとも１つの分割部材を備えるようにしてもよい。
【００１６】
このような洗浄水ガイドを用いれば、洗浄水ガイド内に流入する洗浄水が側壁側を流通するようにできるため、流路内の洗浄水の剥離を防止することが可能となる。
【００１７】
上記の洗浄水ガイドにおいて、
前記分割部材は、筒状部材を含むようにしてもよい。
【００１８】
また、上記の洗浄水ガイドにおいて、
前記分割部材は、板状部材を含むようにしてもよい。
【００１９】
筒状部材や板状部材を用いれば、容易に流路内の洗浄水の剥離を防止することができる。
【００２０】
上記の洗浄水ガイドにおいて、
前記洗浄水ガイドは可撓性を有する材料で形成されていることが好ましい。
【００２１】
このように洗浄水ガイドが可撓性を有すれば、洗浄水ガイドを洗浄水タンク装置に取り付ける際に、排水口に洗浄水ガイドを嵌め込むだけで済み、また、他の取付装置を省略することができる。
【００２２】
上記の洗浄水ガイドにおいて、
前記流入口の断面形状の重心と前記流出口の断面形状の重心とは、偏心しているようにしてもよい。
【００２３】
この洗浄水ガイドを用いれば、各重心のずれ方向に応じた所定の方向へ、効率よく洗浄水を流出させることが可能となる。
【００２４】
さらに、上記の洗浄水ガイドにおいて、
前記流入口から前記流出口までの側壁において、周回する突起部を有するようにしてもよい。
【００２５】
このような周回する突起部を洗浄水ガイドに設ければ、洗浄水タンク装置と洗浄水ガイドとの間をうまくシールすることができるので、洗浄水タンク装置から便器に洗浄水を漏れなく供給することが容易となる。
【００２６】
さらに、上記の洗浄水ガイドにおいて、
前記流入口に、前記流入口を開閉するための弁を備えるようにしてもよい。
【００２７】
こうすれば、洗浄水タンク装置の排水口を開閉するための弁を省略することができる。
【００２８】
本発明の第２の装置は、便器に洗浄水を供給するための洗浄水タンク装置であって、
洗浄水を貯えるタンクと、
前記タンクから洗浄水を排出するための排水口と、
前記排水口を開閉するための弁と、
前記排水口に接続された上記のいずれかに記載の洗浄水ガイドと、
を備えることを特徴とする。
【００２９】
この洗浄水タンク装置を用いれば、排水口の開口面積を比較的小さく保ったまま、排出される洗浄水の単位時間あたりの流量を比較的大きくすることが可能となる。また、洗浄水ガイドを別途準備する必要がないので、便器を準備するだけで容易に便器装置を組み立てることができる。
【００３０】
本発明の第３の装置は、洗浄水を貯える洗浄水タンク装置の排水口から供給される洗浄水を用いる便器であって、
汚物を受けるためのボール部と、
前記排水口に接続された上記のいずれかに記載の洗浄水ガイドと、
前記洗浄水ガイドを介して供給される洗浄水を受け、前記ボール部に洗浄水を供給するための洗浄水供給部と、
前記ボール部から汚物とともに洗浄水を排出するための洗浄水排出部と、
を備えることを特徴とする。
【００３１】
この便器を用いれば、別途準備される洗浄水タンク装置の排水口の開口面積を比較的小さく保ったまま、便器に供給される洗浄水の単位時間あたりの流量を比較的大きくすることが可能となる。また、洗浄水ガイドを別途準備する必要がないので、洗浄水タンク装置を準備するだけで容易に便器装置を組み立てることができる。
【００３２】
本発明の第４の装置は、便器装置であって、
洗浄水を貯える洗浄水タンク装置と、
便器と、
前記洗浄水タンク装置から便器に洗浄水を供給するための上記のいずれかに記載の洗浄水ガイドと、
を備え、
前記洗浄水タンク装置は、
洗浄水を貯えるタンクと、
前記タンクから洗浄水を排出するための排水口と、
前記排水口を開閉するための弁と、
を備え、
前記便器は、
汚物を受けるためのボール部と、
前記洗浄水ガイドを介して供給される洗浄水を受け、前記ボール部に洗浄水を供給するための洗浄水供給部と、
前記ボール部から汚物とともに洗浄水を排出するための洗浄水排出部と、
を備えることを特徴とする。
【００３３】
この便器装置を用いれば、洗浄水タンク装置の排水口の開口面積を比較的小さく保ったまま、便器に供給される洗浄水の単位時間あたりの流量を比較的大きくすることが可能となる。
【００３４】
【発明の実施の形態】
次に、本発明の実施の形態を実施例に基づき説明する。
【００３５】
Ａ．第１実施例：
Ａ−１．便器装置：
図１は、本発明を適用した便器装置の概略断面図である。この便器装置は、洗浄水を貯える洗浄水タンク装置１００と便器２００とを備えている。洗浄水タンク装置１００の下部には、洗浄水タンク装置１００から便器２００へ洗浄水を導くための洗浄水ガイド３００が設けられている。
【００３６】
Ａ−２．洗浄水タンク装置：
図２は、図１の洗浄水タンク装置１００を拡大して示す説明図である。図２（Ａ）は、図１と同じ方向、すなわち、図１の＋ｘ方向から見たときの洗浄水タンク装置１００の断面図を示しており、図２（Ｂ）は、＋ｙ方向から見たときの洗浄水タンク装置１００の断面図を示している。
【００３７】
洗浄水タンク装置１００は、内部に貯えられた洗浄水を排出して、便器２００（図１）に洗浄水を供給する。なお、この洗浄水タンク装置１００は、大用洗浄時と小用洗浄時とで、排出する洗浄水の水量を変更可能である。
【００３８】
洗浄水タンク装置１００は、洗浄水を貯えるタンク１３０と、タンク底部に設けられた排水口１３０ａと、排水口１３０ａを開閉する弁１４０と、タンク本体１３０の側壁に設けられた操作ハンドル装置１５０と、操作ハンドル装置１５０と接続されたＬ字状部材１６０と、Ｌ字状部材１６０と弁１４０とを連結する玉鎖１７０と、玉鎖１７０の中程に取り付けられた浮子１７２と、を備えている。
【００３９】
なお、この洗浄水タンク装置１００は、タンク１３０の上部に、給水手段としてのボールタップ（図示せず）を備えている。ボールタップは、周知の構成であり、水道管に接続された給水弁と、タンク１３０内の水位に応じて上下動して給水弁を開閉するフロートとを備えている。タンク１３０内の洗浄水の水位が低下したときには、フロートが下降することにより給水弁が開かれ、洗浄水が供給される。一方、タンク１３０内への給水により水位が上昇したときには、フロートが上昇することにより給水弁が閉じられ、タンク１３０内は所定の満水位置に維持される。
【００４０】
弁１４０は、軸体１４１を中心に開閉可能に設けられている。弁１４０が閉状態のときには、タンク１３０内部に洗浄水が貯えられ、開状態のときには、タンク１３０内部に貯えられた洗浄水が排出される。なお、この弁１４０自体は、水没状態で閉状態となるように構成されている。すなわち、弁１４０は、水より大きな比重を有している。このような弁を使用する代わりに、あるいは、このような弁を使用するとともに、弁に重錘を装着したり、スプリングで閉方向に力を加えたりしてもよい。
【００４１】
操作ハンドル装置１５０は、操作ハンドル１５１と操作ハンドルの動作を調整する操作ハンドル調整部１５２とを備えている。
【００４２】
操作ハンドル１５１は、矢印Ａ，Ｂ方向に回動可能である。操作ハンドルを矢印Ａの方向に回動させると大用洗浄処理が実行され、矢印Ｂの方向に回動させると小用洗浄処理が実行される。操作ハンドル１５１には、操作ハンドル調整部１５２を介してＬ字状部材１６０が接続されている。したがって、操作ハンドル１５１を回動させると、Ｌ字状部材１６０も回動し、この結果、Ｌ字状部材１６０の先端に取り付けられた玉鎖１７０は弁１４０を引き上げることとなる。このように、操作ハンドル１５１を回動させることにより、弁１４０は開状態となる。
【００４３】
操作ハンドル調整部１５２は、大用洗浄時における洗浄水の排出量を決定する機能を有している。すなわち、操作ハンドル調整部１５２は、大用洗浄時において回転した操作ハンドル１５１およびＬ字状部材１６０が元の位置に戻る際に、抵抗力を発生させる。なお、この抵抗力は、操作ハンドル調整部１５２内に設けられたダンパ機構によって発生する。この結果、Ｌ字状部材１６０に玉鎖１７０を介して接続された弁１４０は、操作ハンドル調整部１５２から上方向の抵抗力を受けながらゆっくりと閉じる。この説明からも分かるように、操作ハンドル調整部１５２の抵抗力を調整すれば、弁１４０の開時間を調整できるので、タンク本体１３０から排出される洗浄水の排出量を調整することが可能である。なお、本実施例の操作ハンドル調整部１５２は、小用洗浄時においては、抵抗力を発生させないので、操作ハンドル１５１およびＬ字状部材１６０はすぐに元の位置に戻る。
【００４４】
浮子１７２は、満水水位時には、弁１４０を閉状態に維持しつつ、水没状態で浮遊している。すなわち、浮子１７２は、水没状態において、閉弁方向の力より小さい浮力（開弁方向の力）を弁１４０に与えている。
【００４５】
浮子１７２の玉鎖１７０への取付位置は、小用洗浄時における洗浄水の排出量を決定する。すなわち、洗浄水の排水により浮子１７２が水面に露出すると、浮力が急激に小さくなるので、浮子１７２は開弁方向の力を失う。このとき、弁１４０の開度は小さくなり、さらに、排水時の引き込み力により弁１４０は閉じる。このように、小用洗浄時においては、弁１４０は、浮子１７２が露出状態となるまで洗浄水を排出した後に閉じる。このことから、浮子１７２の玉鎖１７０への取付位置を変更すれば、小用洗浄時における洗浄水の排出量を調整するできる。
【００４６】
以上の説明から分かるように、図２に示す初期状態から、操作ハンドル１５１を矢印Ａ方向または矢印Ｂ方向に回動させると、Ｌ字状部材１６０により弁１４０の一端が引き上げられる。弁１４０は、軸体１４１を中心に回動して、排水口１３０ａを開く。このようにして、タンク本体１３０内に貯えられた洗浄水は、排水口１３０ａから流出される。なお、このような洗浄水タンク装置１００については、例えば、本願出願人によって開示された特開平１０−２１９７８５号公報にさらに詳述されている。
【００４７】
Ａ−３．便器：
図３は、図１の便器２００を拡大して示す説明図である。図４は、図１の＋ｚ方向から見たときの便器２００を示す説明図である。なお、図３は、図４のＳ−Ｓ’切断面における断面図を示している。
【００４８】
便器２００は、汚物を受けるためのボール部２０と、ボール部２０に洗浄水を供給するための洗浄水供給部と、ボール部２０内から汚物とともに洗浄水を排出するための洗浄水排出部とを備えている。
【００４９】
ボール部２０は、便器２００の非洗浄時でも溜水ＲＷと接する覆水面２３と、便器２００の非洗浄時には溜水ＲＷと接しない乾燥面２４とを備えている。
【００５０】
洗浄水供給部は、洗浄水給水路４１と、洗浄水給水路４１と接続されたゼット給水路４６（図４参照）およびリム給水路４３と、を備えている。
【００５１】
洗浄水給水路４１は、ボール部２０の後方に設けられている。洗浄水給水路４１は、洗浄水タンク装置１００との接続部分に洗浄水給水孔４０を有している。洗浄水タンク装置１００から排出された洗浄水は、洗浄水給水孔４０を介して洗浄水給水路４１に供給される。洗浄水給水路４１は、その途中の上壁に、リム給水路４３（後述する）との接続孔である分岐孔４２を有している。また、洗浄水給水路４１は、分岐孔４２よりも下流側に、斜め下向きの傾斜で延出した形状の滞留部４１ａを有している。
【００５２】
ゼット給水路４６は、図４に示すように便器内部を湾曲するように形成されている。ゼット給水路４６は、滞留部４１ａの側壁に設けられたゼット給水孔４５とゼット噴出孔２２との間を接続する。
【００５３】
リム給水路４３は、図３，図４に示すように、ボール部２０の上部に設けられたリム部２１の内側に設けられている。リム給水路４３は、ボール部２０上端の内周に沿った範囲に筒状に成形された中空部である。分岐孔４２に流入した洗浄水は、このリム給水路４３を流通する。リム部２１の裏側には、形状の異なる５種類の水出し孔４４ａ〜４４ｅが設けられており、各孔４４ａ〜４４ｅはリム給水路４３と接続されている。
【００５４】
洗浄水排出部は、ボール部２０下部に設けられた凹部２６と、接続路３１と上昇路３２と下降路３３とから構成された排水路と、を備えている。
【００５５】
凹部２６は、汚物溜りとしての機能を有する。凹部２６の奥には、排出口２５が形成されている。凹部２６は、排出口２５において排水路３１〜３３と接続されている。
【００５６】
排水路３１〜３３は、ボール部２０から洗浄水や汚物を排出するための流路である。排水路は、排出口２５から斜め上方向に延出する接続路３１と、接続路３１と連続して斜め上方向に延出する上昇路３２と、上昇路３２と連続して下方向に延出する下降路３３とから構成される。下降路３３は、図３に示すように、上昇路３２の内壁下側の最も高い位置である堰３４を越えた後、略鉛直下方向に向かって延出している。このため、堰３４付近の排水路は、屈曲した屈曲部を形成している。下降路３３は、排水ソケット７０を介して排水立ち上げ管９０と接続されている。
【００５７】
なお、非洗浄時におけるボール部２０内の溜水ＲＷの水位は、排水路の堰３４の高さと同じ通常水位線ＷＬで保たれている。この溜水ＲＷにより、排水機構からボール部２０への臭気の逆流や虫などの進入を防止することができる。
【００５８】
次に、上記の洗浄水供給部および洗浄水排出部による洗浄動作について説明する。洗浄水タンク装置１００（図１）内の高い水位からの自由落下により、洗浄水ガイド３００を介して洗浄水給水孔４０に供給された洗浄水は、洗浄水給水路４１の斜め下向きの傾斜に案内されて滞留部４１ａに流入する。この流入により、滞留部４１ａ内の水位は、ボール部２０内の水位よりも上昇し、これに伴い、滞留部４１ａの下部およびゼット給水路４６内に溜まっていた溜水（以下、「ゼット溜水」と呼ぶ）が、ボール部２０内のゼット噴出孔２２方向に流動する。この結果、ゼット噴出孔２２からは、ゼット溜水と滞留部４１ａに流入した洗浄水とが、順次噴出される。
【００５９】
ゼット噴出孔２２からの洗浄水は、排出口２５に向かって噴出される。このため、接続路３１および上昇路３２内の溜水ＲＷや凹部２６に溜まった汚物は、堰３４の方向に押し上げられる。この結果、上昇路３２内における水位は通常水位線ＷＬを越えて急激に上昇し、接続路３１，上昇路３２および屈曲部はすぐに満水状態となる。このとき、屈曲部に充満した水の先端面とボール部２０内の溜水ＲＷの水面との間に圧力差が生じる。この圧力差により、下方向への引き込み力が発生する。このような作用は、サイホン作用と呼ばれている。このサイホン作用により、ボール部２０内の汚物が溜水ＲＷや洗浄水と共に、堰３４の方向に引き込まれる。
【００６０】
洗浄水タンク装置１００から供給された洗浄水は、次第に滞留部４１ａに溜まり、洗浄水給水路４１内の水位が上昇する。洗浄水給水路４１内の水位が、分岐孔４２の高さまで上昇すると、洗浄水が分岐孔４２に流入する。分岐孔４２に流入した洗浄水は、リム給水路４３に供給され、リム給水路４３と接続された水出し孔４４ａ〜４４ｅから吐出される。
【００６１】
なお、図４に示すように、便器２００後方の分岐孔４２に近い位置に形成された長孔４４ｄと便器２００前方に形成された長孔４４ｅとからは、リム給水路４３を右回りに流れてきた洗浄水が勢いよく多量に吐出される。この長孔４４ｄ，４４ｅから吐出された洗浄水が主流となって、水出し孔４４ａ〜４４ｅから吐出された洗浄水には、右回りの旋回力が付与される。このように旋回力が付与された洗浄水は、便器２００の乾燥面２４の表面に沿って流下し、ボール部２０内の溜水ＲＷに合流する。この合流により、洗浄水の旋回力は、ボール部２０内の溜水ＲＷに伝達される。この結果、ボール部２０内には右回りの旋回流が生じる。なお、ボール部２０内の汚物は旋回流に巻き込まれて凹部２６に集められ、排出口２５に向かう。
【００６２】
水出し孔４４ａ〜４４ｅからの吐出により増量されたボール部２０内の溜水ＲＷは、既に発生しているサイホン作用により、排水路に引き込まれる。汚水および汚物は、サイホン作用により、強い力で下降路３３に引き込まれ、排水ソケット７０を介して排水立ち上げ管９０から排出される。
【００６３】
サイホン作用の持続が終了すると、ボール部２０内および排水路内には、洗浄開始前に溜まっていた溜水ＲＷに替わり、水出し孔４４ａ〜４４ｅおよびゼット噴出孔２２から供給された洗浄水の一部が、新たな溜水ＲＷとして便器２００に溜まる。
【００６４】
洗浄水タンク装置１００からの洗浄水の供給が終了すると、満水状態であった洗浄水給水路４１内の水位が徐々に低下し、水出し孔４４ａ〜４４ｅからの洗浄水の吐出およびゼット噴出孔２２からの洗浄水の噴出が、順次停止する。この後、溜水ＲＷの水位は、洗浄開始前と同様、通常水位線ＷＬの高さとなる。これにより、便器２００の洗浄が完了する。
【００６５】
Ａ−４．洗浄水ガイド：
上述したように、洗浄水タンク装置１００からの洗浄水は、洗浄水ガイド３００を介して便器２００に供給される。図５は、図１の洗浄水ガイド３００を拡大して示す説明図である。洗浄水ガイド３００は、洗浄水タンク装置１００の排水口１３０ａから排出される洗浄水を流入させるための流入口３０１と、洗浄水を流出させる流出口３０２と、洗浄水を流入口３０１から流出口３０２に導くための流路を形成する側壁３０３とを備えている。流入口３０１と流出口３０２とは略円形形状を有しており、洗浄水が流通する流路の断面も側壁３０３によって略円形形状に形成されている。流出口３０２の断面積Ｓ２は、流入口３０１の断面積Ｓ１よりも大きく設定されている。また、流路の断面積は、流入口３０１から流出口３０２に向かって次第に大きくなっている。
【００６６】
なお、図１の接続状態からも分かるように、洗浄水ガイド３００の流入口３０１の断面積Ｓ１は、洗浄水タンク装置１００の排水口１３０ａの断面積とほぼ同じ大きさに設定されている。
【００６７】
この洗浄水ガイド３００を用いて洗浄水タンク装置１００から洗浄水を排出する場合には、洗浄水ガイド３００を用いない場合と比べて、洗浄水タンク装置１００から流出される単位時間あたりの洗浄水量を大きくすることができる。これは、洗浄水ガイド３００の流出口３０２の断面積Ｓ２が、洗浄水タンク装置１００の排水口１３０ａの開口面積（流入口３０１の断面積Ｓ１にほぼ等しい）より大きくなっているからである。このような洗浄水ガイド３００を便器装置（図１）に適用すれば、流出口３０２付近の流速をあまり小さくすることがないので、流出口３０２の断面積Ｓ２の大きさに応じて、単位時間あたりの流量を大きくすることができる。この結果、洗浄水タンク装置１００から便器２００（図３）に単位時間あたりにより多くの洗浄水が供給されるので、ボール部２０に溜まった汚物を勢いよく流すことが可能となる。
【００６８】
なお、図５に示す洗浄水ガイド３００の流路の口径Ｒの増加率は、流入口３０１から流出口３０２に向かって次第に大きくなっているため、洗浄水ガイド３００の流路は末広がりの円錐台形状となっているが、口径Ｒの増加率は一定であってもよい。口径Ｒの増加率が一定である場合には、洗浄水ガイドの流路は、略円錐台形状となる。一般には、洗浄水ガイドの流路の断面積は、流入口から流出口に向かって単調に大きくなっていればよい。
【００６９】
図６は、洗浄水ガイド３００と洗浄水タンク装置１００との位置関係を示す説明図である。図６（Ａ）は、洗浄水タンク装置１００の排水口１３０ａの位置に、洗浄水ガイド３００の流入口３０１を合わせた場合を示しており、図１と同じ位置関係である。一方、図６（Ｂ）は、洗浄水タンク装置１００の排水口１３０ａの位置に、洗浄水ガイド３００の中間部分を合わせた場合、すなわち、流入口３０１と流出口３０２との間に排水口１３０ａが配置された場合を示している。このような位置関係で洗浄水ガイド３００を配置する場合にも、洗浄水ガイド３００を介して、洗浄水タンク装置１００から便器２００に単位時間あたりにより多くの洗浄水を確実に供給することが可能となる。
【００７０】
図６（Ａ），（Ｂ）に示す洗浄水ガイド３００は、図示しない取付装置によって洗浄水タンク装置１００に取り付けらている。この取付装置は、洗浄水ガイド３００を洗浄水タンク装置１００に固定する機能とともに、洗浄水ガイド３００と洗浄水タンク装置１００の排水口１３０ａとの間をシールする機能を有している。これにより、洗浄水タンク装置１００の排水口１３０ａから排出された洗浄水は、洗浄水ガイド３００を介して漏れなく便器２００に供給される。
【００７１】
なお、洗浄水ガイド３００は、上記の取付装置を用いずに洗浄水タンク装置１００に取り付けられてもよい。すなわち、洗浄水ガイド３００をゴム等の可撓性を有する材料で形成した場合には、洗浄水ガイド３００を洗浄水タンク装置１００の排水口１３０ａに嵌め込むだけでよいので、上記の取付装置を省略できる。可撓性を有する洗浄水ガイド３００を用いる場合には、洗浄水ガイド３００自体が上記の固定機能とシール機能とを発揮することとなる。
【００７２】
図７は、シール機能を有する洗浄水ガイド３００Ａを示す説明図である。この洗浄水ガイド３００Ａは、図５の洗浄水ガイド３００の流入口３０１から流出口３０２までの側壁３０３において、周回する突起部３０７を有している。
【００７３】
図８は、図７の洗浄水ガイド３００Ａと洗浄水タンク装置１００との位置関係を示す説明図である。図８（Ａ）は、洗浄水タンク装置１００の排水口１３０ａの位置に、洗浄水ガイド３００Ａの流入口３０１を合わせた場合を示しており、図６（Ａ）の位置関係に対応する。一方、図８（Ｂ）は、洗浄水タンク装置１００の排水口１３０ａの位置に、洗浄水ガイド３００Ａの中間部分を合わせた場合、すなわち、流入口３０１と流出口３０２との間に排水口１３０ａが配置された場合を示しており、図６（Ｂ）の位置関係に対応している。
【００７４】
図８（Ａ），（Ｂ）に示すように、周回する突起部３０７を有する洗浄水ガイド３００Ａを用いる場合には、洗浄水ガイド３００Ａが洗浄水タンク装置１００に取り付けられたときに、シール機能を発揮することとなる。なお、この洗浄水ガイド３００Ａは、通常、可撓性を有する材料で形成されるので、上記の取付装置を省略可能であるが、取付装置を使用する場合には、よりシール効果を向上させることができる。
【００７５】
なお、図８（Ａ），（Ｂ）では、洗浄水ガイド３００Ａは、突起部３０７の上面がタンク本体１３０の底部外壁に接するように設けられているが、突起部３０７の下面がタンク本体１３０の底部内壁に接するように設けられていてもよい。
【００７６】
Ｂ．第２実施例：
第１実施例の洗浄水ガイド３００（図５）の流路の断面積は、流入口から流出口に向かって単調に大きくなっている。図５では、洗浄水ガイド３００の流路の断面積が徐々に大きくなっているが、流路断面積が急激に大きくなるような場合には、洗浄水タンク装置１００から流出される単位時間あたりの洗浄水量をあまり大きくすることができない。これは、洗浄水タンク装置１００から流出される単位時間あたりの洗浄水量を大きくするためには、洗浄水ガイド３００の流路内が洗浄水で満たされる必要があるが、流路断面積が急激に大きくなる場合には、流路内が洗浄水によって満たされないからである。
【００７７】
図９は、流路が洗浄水によって満たされない洗浄水ガイド８００を示す説明図である。この洗浄水ガイド８００は、図５に示す洗浄水ガイド３００と同様の形状を有している。しかしながら、図９の洗浄水ガイド８００では、図５の洗浄水ガイド３００に比べ、流路の断面積の増加率が大きくなっている。このため、この洗浄水ガイド８００を用いる場合には、図９に示すように、側壁で形成された流路内が洗浄水で満たされないこととなる。すなわち、この洗浄水ガイド８００を用いる場合には、流入口８０１から流入した洗浄水が、図中一点鎖線で示す流出口８０２付近において、側壁８０３から剥離してしまう。このとき、洗浄水は、流出口８０２の全開口を通って流れないため、洗浄水タンク装置１００から便器２００に単位時間あたりにあまり多くの洗浄水を供給することができない。
【００７８】
なお、この説明からも分かるように、図５に示す洗浄水ガイド３００は、流路内で洗浄水が剥離しないような形状とされている。
【００７９】
図１０，図１１は、それぞれ流路形状を工夫した洗浄水ガイド３１０，３２０を示す説明図である。図１０に示す洗浄水ガイド３１０では、流入口３１１の口径Ｄ１が、流路の長さＨよりも小さく設定されている。このように、流路の長さが流入口の幅より小さく設定された洗浄水ガイド３１０を用いる場合には、洗浄水は流路内で剥離する前に流出口３１２から流出されることになるので、流路内での洗浄水の剥離を防止することが可能となる。
【００８０】
一方、図１１に示す洗浄水ガイド３２０においては、流路の断面積は、流入口３２１から流出口３２２に向かって連続的に変化しているが、流路の途中において、断面積が最小となるような絞り部を有している。このような洗浄水ガイド３２０を用いる場合にも、流路内での洗浄水の剥離を防止できると考えられる。
【００８１】
図１０，図１１においては、洗浄水ガイドの形状を工夫することによって流路内での洗浄水の剥離を防止しているが、洗浄水ガイド内の流路を複数の分割流路に分割することによっても流路内での洗浄水の剥離を防止することが可能である。
【００８２】
図１２，図１３は、それぞれ複数の分割流路を有する洗浄水ガイド３３０，３４０を示す説明図である。
【００８３】
図１２に示す洗浄水ガイド３３０は、側壁３３３の内側に、筒状部材３３５と、側壁３３３と筒状部材３３５とを一体化するための２つの接続部材３３６とを備えている。洗浄水ガイド３３０に流入した洗浄水は、筒状部材３３５によって、その内側と外側との２つの流れに分割される。また、２つの接続部材３３６によって、計４つの流れに分割される。このような洗浄水ガイド３３０を用いれば、流入した洗浄水を強制的に側壁３３３側に流すことができるので、流路内の洗浄水の剥離を防止することが可能となる。
【００８４】
なお、この洗浄水ガイド３３０では、筒状部材３３５は、側壁３３３と同様に末広がりの筒形状となっているが、円筒形状としてもよい。ただし、図１２に示すように、筒状部材を末広がりの筒形状とすれば、より確実に剥離を防止することが可能となる。
【００８５】
図１３に示す洗浄水ガイド３４０は、側壁３４３の内側に、２つの板状部材３４５を有している。洗浄水ガイド３４０に流入する洗浄水は、２つの板状部材３４５によって、計３つの流れに分割される。このような洗浄水ガイド３４０を用いても、流路内の洗浄水の剥離を防止することができる。
【００８６】
上記のように、洗浄水ガイド内に流入する洗浄水を、筒状部材３３５（図１２）や板状部材３４５（図１３）などの分割部材を用いて分割すれば、流路内で洗浄水が剥離するのを容易に防止でき、洗浄水ガイド３３０，３４０の流路を洗浄水で満たすことが可能となる。これにより、洗浄水タンク装置１００から便器２００に単位時間あたりにより多くの洗浄水を確実に供給することが可能となる。一般に、流路内での洗浄水の剥離を防止可能な洗浄水ガイドとしては、洗浄水ガイド内に流入する洗浄水を分割して複数の分割流路を形成するような少なくとも１つの分割部材を有するものであればよい。
【００８７】
Ｃ．第３実施例：
第１および第２実施例の洗浄水ガイド３００，３１０，３２０，３３０，３４０（図５，図１０，図１１，図１２，図１３）では、いずれも流入口の断面形状の重心と流出口の断面形状の重心とがほぼ一致しているが、各重心は一致していなくてもよい。なお、本明細書において、「流入口の断面形状の重心と流出口の断面形状の重心とがほぼ一致している」とは、流入口の断面形状と流出口の断面形状とを、垂直方向から見たときの重心位置がほぼ一致していることを意味する。
【００８８】
図１４は、流入口の断面形状の重心と流出口の断面形状の重心とを偏心させた洗浄水ガイド３５０を示す説明図である。この洗浄水ガイド３５０では、流入口３５１の断面形状の重心Ｇ１と、流出口３５２の断面形状の重心Ｇ２とは、一致しておらず、偏心している。具体的には、重心Ｇ２の位置は重心Ｇ１の位置より図中右方にずれている。このように偏心した洗浄水ガイド３５０を用いる場合には、偏心していない洗浄水ガイドを用いる場合に比べて、洗浄水を図中右方に多く流通させることが可能である。
【００８９】
図１５は、図１４の洗浄水ガイド３５０を便器装置（図１）に設けた様子を示す説明図である。図示するように、洗浄水ガイド３５０は、重心Ｇ１よりも重心Ｇ２が＋ｙ方向にずれた状態で配置されている。このとき、洗浄水タンク装置１００から排出された洗浄水は、便器２００のボール部２０の方向（＋ｙ方向）に多く向かうことになるので、ボール部２０に流入する洗浄水の勢いをより大きくすることができる。
【００９０】
このように、流入口の断面形状の重心と流出口の断面形状の重心とを偏心させた洗浄水ガイドを用いれば、洗浄水ガイドに流入した洗浄水を重心のずれ方向に応じた所定の方向へ効率よく流出させることが可能となる。
【００９１】
Ｄ．第４実施例：
第１〜第３実施例の洗浄水ガイド３００，３１０，３２０，３３０，３４０，３５０を便器装置（図１）に適用する場合には、通常、図２に示すように、弁１４０は洗浄水タンク装置１００に設けられているが、弁は洗浄水ガイドに設けるようにしてもよい。
【００９２】
図１６は、弁を備える洗浄水ガイド３００Ｂを示す説明図である。図１６（Ａ）は、洗浄水ガイド３００Ｂの弁３０８が閉じた様子を示しており、図１６（Ｂ）は、洗浄水ガイド３００Ｂの弁３０８が開いた様子を示している。図示するように、弁３０８は、洗浄水ガイド３００Ｂの流入口３０１に設けられており、ヒンジ部３０９を基準に開閉可能である。
【００９３】
このような流入口を開閉するための弁を備える洗浄水ガイド３００Ｂを用いれば、図２の洗浄水タンク装置１００に弁１４０を設けなくて済むという利点がある。
【００９４】
なお、図１６では、弁３０８と側壁３０３との接続部には、ヒンジ部３０９が用いられているが、ヒンジ部３０９に代えて、粘着シートを用いるようにしてもよい。あるいは、弁３０８および側壁３０３とその接続部とを、可撓性を有する材料で一体形成するようにしてもよい。
【００９５】
Ｅ．第５実施例：
上述の洗浄水ガイドは、通常、洗浄水タンク装置１００および便器２００とは別途準備される。そして、新規の便器装置（図１）を組み立てる際に、あるいは、既存の便器装置のメンテナンスを行う際に、洗浄水タンク装置１００と便器２００との間に設置される。しかしながら、洗浄水ガイドは、洗浄水タンク装置１００あるいは便器２００と一体化されていてもよい。
【００９６】
図１７は、洗浄水ガイド３００（図５）が一体化された洗浄水タンク装置１００を示す説明図である。図１８は、洗浄水ガイド３００（図５）が一体化された便器２００を示す説明図である。このように、洗浄水タンク装置１００または便器２００が洗浄水ガイド３００を備えている場合には、洗浄水ガイド３００を別途準備する必要がないので、便器装置の組み立てを容易に行うことが可能となる。
【００９７】
以上説明したように、本実施例の便器装置（図１）は、洗浄水タンク装置１００と、便器２００と、洗浄水タンク装置１００から便器２００へ洗浄水を導くための洗浄水ガイド３００とを備えている。本発明を適用した洗浄水ガイドを用いれば、洗浄水タンク装置の排出口の開口面積を比較的小さく保ったまま、便器に供給される洗浄水の単位時間あたりの流量を比較的大きくすることが可能となる。
【００９８】
なお、この発明は上記の実施例や実施形態に限られるものではなく、その要旨を逸脱しない範囲において種々の態様において実施することが可能であり、例えば次のような変形も可能である。
【００９９】
（１）図５に示す洗浄水ガイド３００では、流路の断面積が、流入口３０１から流出口３０２に向かって単調に大きくなっている。一方、図１１に示す洗浄水ガイド３２０では、流路の途中において流路の断面積が最小となるような絞り部を有している。このように、洗浄水ガイドの断面積としては、一般に、流入口から流出口に向かって連続的に変化するものであればよい。
【０１００】
（２）上記実施例では、洗浄水ガイドの流入口と流出口とは、互いに略平行となるように設定されているが、例えば、流入口が流路に対して斜めに設定されていてもよい。なお、この場合には、流入口の開口面積は大きくなっているが、流入口の断面積は変化しない。すなわち、本明細書における「断面積」とは、洗浄水の流れ方向（上記実施例では、鉛直下方向）に対してほぼ垂直な断面の面積を意味している。
【０１０１】
（３）上記実施例の洗浄水タンク装置１００では、操作ハンドル１５１が設けられており、操作ハンドル１５１の回動に基づいて弁１４０を開閉しているが、これに代えて、赤外線センサ等のセンサを設け、その検知状態に基づいて弁１４０を開閉するようにしてもよい。
【０１０２】
また、上記の洗浄水タンク装置１００では、操作ハンドル１５１の回動方向によって、大用洗浄時と小用洗浄時とで洗浄水の排水量を変更しているが、回動方向を一方向として、洗浄水の排水量を常に同じとしてもよい。
【０１０３】
また、上記の洗浄水タンク装置１００では、弁１４０は、略円盤形状を有しているが、略半球形状を有していてもよいし、カップ形状を有していてもよい。すなわち、弁としては、排水口を開閉可能であればよい。
【０１０４】
一般に、洗浄水タンク装置としては、洗浄水を貯えるタンクと、タンクから洗浄水を排出するための排水口と、排水口を開閉するための弁と、を備えるようなものであればよい。
【０１０５】
（４）上記実施例では、サイホン作用を利用した便器２００を利用しているが、サイホン作用を利用しない便器、例えば、洗浄水の勢いにより汚物を押して洗浄する洗い落とし式の便器を用いるようにしてもよい。
【０１０６】
また、上記実施例では、図１に示すように、便器として洋風の便器２００を用いているが、和風の便器を用いるようにしてもよい。
【０１０７】
一般に、便器としては、汚物を受けるためのボール部と、洗浄水タンク装置から供給される洗浄水を受け、ボール部に洗浄水を供給するための洗浄水供給部と、ボール部から汚物とともに洗浄水を排出するための洗浄水排出部と、を備えるようなものであればよい。
【図面の簡単な説明】
【図１】本発明を適用した便器装置の概略断面図である。
【図２】図１の洗浄水タンク装置１００を拡大して示す説明図である。
【図３】図１の便器２００を拡大して示す説明図である。
【図４】図１の＋ｚ方向から見たときの便器２００を示す説明図である。
【図５】図１の洗浄水ガイド３００を拡大して示す説明図である。
【図６】洗浄水ガイド３００と洗浄水タンク装置１００との位置関係を示す説明図である。
【図７】シール機能を有する洗浄水ガイド３００Ａを示す説明図である。
【図８】図７の洗浄水ガイド３００Ａと洗浄水タンク装置１００との位置関係を示す説明図である。
【図９】流路が洗浄水によって満たされない洗浄水ガイド８００を示す説明図である。
【図１０】流路形状を工夫した洗浄水ガイド３１０を示す説明図である。
【図１１】流路形状を工夫した洗浄水ガイド３２０を示す説明図である。
【図１２】複数の分割流路を有する洗浄水ガイド３３０を示す説明図である。
【図１３】複数の分割流路を有する洗浄水ガイド３４０を示す説明図である。
【図１４】流入口の断面形状の重心と流出口の断面形状の重心とを偏心させた洗浄水ガイド３５０を示す説明図である。
【図１５】図１４の洗浄水ガイド３５０を便器装置（図１）に設けた様子を示す説明図である。
【図１６】弁を備える洗浄水ガイド３００Ｂを示す説明図である。
【図１７】洗浄水ガイド３００（図５）が一体化された洗浄水タンク装置１００を示す説明図である。
【図１８】洗浄水ガイド３００（図５）が一体化された便器２００を示す説明図である。
【図１９】従来の洗浄水タンク装置９００の概略断面図である。
【符号の説明】
２０…ボール部
２１…リム部
２２…ゼット噴出孔
２３…覆水面
２４…乾燥面
２５…排出口
２６…凹部
３１…接続路
３２…上昇路
３３…下降路
３４…堰
４０…洗浄水給水孔
４１…洗浄水給水路
４１ａ…滞留部
４２…分岐孔
４３…リム給水路
４４ａ〜４４ｅ…水出し孔
４５…ゼット給水孔
４６…ゼット給水路
７０…排水ソケット
９０…排水立ち上げ管
１００…洗浄水タンク装置
１３０…タンク
１３０ａ…排水口
１４０…弁
１４１…軸体
１５０…操作ハンドル装置
１５１…操作ハンドル
１５２…操作ハンドル調整部
１６０…Ｌ字状部材
１７０…玉鎖
１７２…浮子
２００…便器
３００，３００Ａ，３００Ｂ…洗浄水ガイド
３１０，３２０，３３０，３４０，３５０…洗浄水ガイド
３０１…流入口
３０２…流出口
３０３…側壁
３０７…突起部
３０８…弁
３０９…ヒンジ部
３１１…流入口
３１２…流出口
３２１…流入口
３２２…流出口
３３３…側壁
３３５…筒状部材
３３６…接続部材
３４３…側壁
３４５…板状部材
３５１…流入口
３５２…流出口
８００…洗浄水ガイド
８０１…流入口
８０２…流出口
８０３…側壁
９００…洗浄水タンク装置
９３０…タンク
９３０ａ…排水口
９４０…弁
９５０…操作ハンドル
９６０…Ｌ字状部材
９７０…玉鎖
【図１】
0004348819.tif 000002
【図２】
0004348819.tif 000003
【図３】
0004348819.tif 000004
【図４】
0004348819.tif 000005
【図５】
0004348819.tif 000006
【図６】
0004348819.tif 000007
【図７】
0004348819.tif 000008
【図８】
0004348819.tif 000009
【図９】
0004348819.tif 000010
【図１０】
0004348819.tif 000011
【図１１】
0004348819.tif 000012
【図１２】
0004348819.tif 000013
【図１３】
0004348819.tif 000014
【図１４】
0004348819.tif 000015
【図１５】
0004348819.tif 000016
【図１６】
0004348819.tif 000017
【図１７】
0004348819.tif 000018
【図１８】
0004348819.tif 000019
【図１９】
0004348819.tif 000020